【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
チャネル信号の繰返しが、アップリンク制御情報を備えるアップリンク共有チャネルを備える別のチャネルのためにスケジュールされたリソースと衝突することになると決定することと、
前記繰返しを送信すべきか、または前記繰返しを送信することを控えるべきかを決定するために、前記繰返しの優先度および前記アップリンク共有チャネルの優先度を使用する優先規則を適用することと、
前記優先規則が前記繰返しを送信することを示すとき、前記繰返しを送信することと  を備える方法。
【請求項２】
前記優先規則は、前記チャネル信号の前記繰返しが、前記別のチャネル上の送信よりも高い優先度を有することを示す、請求項１に記載の方法。
【請求項３】
前記アップリンク制御情報は、肯定応答、否定応答、スケジューリング要求、またはチャネル品質インジケータのうちの少なくとも１つを備える、請求項１に記載の方法。
【請求項４】
前記アップリンク共有チャネルは、データトラフィックを備える、請求項１に記載の方法。
【請求項５】
前記別のチャネルのためにスケジュールされた前記リソースは、前記チャネル信号の元の送信を備える、請求項１に記載の方法。
【請求項６】
前記別のチャネルのためにスケジュールされた前記リソースは、前記チャネル信号の繰返し送信を備える、請求項１に記載の方法。
【請求項７】
前記優先規則は、前記チャネル信号の前記繰返しが、前記チャネル信号の元の送信と同じ優先度を有することを示す、請求項１に記載の方法。
【請求項８】
前記優先規則は、衝突が前記繰返しに対して検出されたとき、前記繰返しを送信することを控えることを示す、請求項１に記載の方法。
【請求項９】
前記優先規則は、基地局からユーザ機器へのシグナリングにおいて受信される、請求項１に記載の方法。
【請求項１０】
前記チャネル信号は、物理ブロードキャストチャネル（ＰＢＣＨ）信号を備える、請求項１に記載の方法。
【請求項１１】
前記別のチャネルのためにスケジュールされた前記リソースは、ランダムアクセスチャネル、または、
チャネル状態情報基準信号（ＣＳＩ−ＲＳ）リソースまたは対応する報告リソース、または、
サウンディング基準信号リソースを備える、請求項１０に記載の方法。
【請求項１２】
ワイヤレス通信のための装置であって、
チャネル信号の繰返しが、アップリンク制御情報を備えるアップリンク共有チャネルを備える別のチャネルのためにスケジュールされたリソースと衝突することになると決定するための手段と、
前記繰返しを送信すべきか、または前記繰返しを送信することを控えるべきかを決定するために、前記繰返しの優先度および前記アップリンク共有チャネルの優先度を使用する優先規則を適用するための手段と、
前記優先規則が前記繰返しを送信することを示すとき、前記繰返しを送信するための手段と
を備える装置。
【請求項１３】
前記優先規則は、前記チャネル信号の前記繰返しが、前記別のチャネル上の送信よりも高い優先度を有することを示す、請求項１２に記載の装置。
【請求項１４】
メモリと、
前記メモリに結合された少なくとも１つのプロセッサと
をさらに備える、請求項１３に記載のワイヤレス通信のための装置。
【請求項１５】
ワイヤレス通信のためのコンピュータ実行可能コードを記憶したコンピュータ可読媒体であって、前記コンピュータ実行可能コードは、コンピュータによって実行されると、前記コンピュータに請求項１〜１１のいずれかに記載の方法を実行させる、コンピュータ可読媒体。
【手続補正２】
【補正対象書類名】明細書
【補正対象項目名】００７８
【補正方法】変更
【補正の内容】
【００７８】
[0086]先の説明は、いかなる当業者であっても、本明細書で説明された様々な態様を実施することを可能にするように提供された。これらの態様への様々な修正は、当業者には容易に明らかとなり、本明細書で定義された一般原理は、他の態様に適用され得る。したがって、特許請求の範囲は、本明細書に示された態様に限定されるようには意図されず、特許請求の範囲の文言と一致する全範囲が与えられるものとし、ここで、単数形の要素への参照は、そのように明記されていない限り、「１つおよび１つのみ」を意味するようには意図されず、「１つまたは複数」を意味するように意図される。「例示的（exemplary）」という用語は、本明細書で「例、事例、または例示を提供する」という意味で使用される。本明細書で「例示的」と説明される任意の態様は、必ずしも他の態様よりも好ましいまたは有利であると解釈されるべきでない。別段に明記されていない限り、「いくつかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」などの組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバを含み得る。当業者に知られているか、または後に知られることとなる、本開示全体を通して説明された様々な態様の要素に対する全ての構造的および機能的な同等物は、参照によってここに明確に組み込まれ、特許請求の範囲によって包含されるように意図される。さらに、本明細書で開示されたものはいずれも、そのような開示が特許請求の範囲において明記されているかどうかにかかわらず、公衆に放棄されるようには意図されない。「モジュール」、「メカニズム」、「要素」、「デバイス」、および同様の用語は、「手段」という用語の代用になり得ない。したがって、いずれの請求項の要素も、その要素が「〜のための手段（means for）」という表現を使用して明記されていない限り、ミーンズプラスファンクションとして解釈されるべきではない。
以下に、本願の出願当初の特許請求の範囲に記載された発明を付記する。
［Ｃ１］
ワイヤレス通信の方法であって、
チャネル信号の繰返しが、別のチャネルのためにスケジュールされたリソースと衝突することになると決定することと、
前記繰返しを送信すべきか、または前記繰返しを送信することを控えるべきかを決定するために、優先規則を適用することと、
前記優先規則が前記繰返しを送信することを示すとき、前記繰返しを送信することと  を備える方法。
［Ｃ２］
前記優先規則は、前記チャネル信号の前記繰返しが、前記別のチャネル上の送信よりも高い優先度を有することを示す、Ｃ１に記載の方法。
［Ｃ３］
前記別のチャネルのためにスケジュールされた前記リソースは、アップリンク共有チャネルを備える、Ｃ１に記載の方法。
［Ｃ４］
前記アップリンク共有チャネルは、アップリンク制御情報を備える、Ｃ３に記載の方法。
［Ｃ５］
前記アップリンク制御情報は、肯定応答、否定応答、スケジューリング要求、またはチャネル品質インジケータのうちの少なくとも１つを備える、Ｃ４に記載の方法。
［Ｃ６］
前記アップリンク共有チャネルは、データトラフィックを備える、Ｃ３に記載の方法。
［Ｃ７］
前記別のチャネルのためにスケジュールされた前記リソースは、前記チャネル信号の元の送信を備える、Ｃ１に記載の方法。
［Ｃ８］
前記別のチャネルのためにスケジュールされた前記リソースは、前記チャネル信号の繰返し送信を備える、Ｃ１に記載の方法。
［Ｃ９］
前記優先規則は、前記チャネル信号の前記繰返しが、前記チャネル信号の元の送信と同じ優先度を有することを示す、Ｃ１に記載の方法。
［Ｃ１０］
前記優先規則は、衝突が前記繰返しに対して検出されたとき、前記繰返しを送信することを控えることを示す、Ｃ１に記載の方法。
［Ｃ１１］
前記優先規則は、基地局からユーザ機器へのシグナリングにおいて受信される、Ｃ１に記載の方法。
［Ｃ１２］
前記チャネル信号は、物理ブロードキャストチャネル（ＰＢＣＨ）信号を備える、Ｃ１に記載の方法。
［Ｃ１３］
前記別のチャネルのためにスケジュールされた前記リソースは、ランダムアクセスチャネルを備える、Ｃ１２に記載の方法。
［Ｃ１４］
前記別のチャネルのためにスケジュールされた前記リソースは、チャネル状態情報基準信号（ＣＳＩ−ＲＳ）リソースまたは対応する報告リソースを備える、Ｃ１２に記載の方法。
［Ｃ１５］
前記別のチャネルのためにスケジュールされた前記リソースは、サウンディング基準信号リソースを備える、Ｃ１２に記載の方法。
［Ｃ１６］
ワイヤレス通信のための装置であって、
チャネル信号の繰返しが、別のチャネルのためにスケジュールされたリソースと衝突することになると決定するための手段と、
前記繰返しを送信すべきか、または前記繰返しを送信することを控えるべきかを決定するために、優先規則を適用するための手段と、
前記優先規則が前記繰返しを送信することを示すとき、前記繰返しを送信するための手段と
を備える装置。
［Ｃ１７］
前記優先規則は、前記チャネル信号の前記繰返しが、前記別のチャネル上の送信よりも高い優先度を有することを示す、Ｃ１６に記載の装置。
［Ｃ１８］
前記別のチャネルのためにスケジュールされた前記リソースは、アップリンク共有チャネルを備える、Ｃ１６に記載の装置。
［Ｃ１９］
前記アップリンク共有チャネルは、アップリンク制御情報を備える、Ｃ１８に記載の装置。
［Ｃ２０］
前記アップリンク制御情報は、肯定応答、否定応答、スケジューリング要求、またはチャネル品質インジケータのうちの少なくとも１つを備える、Ｃ１９に記載の装置。
［Ｃ２１］
前記アップリンク共有チャネルは、データトラフィックを備える、Ｃ１８に記載の装置。
［Ｃ２２］
ワイヤレス通信のための装置であって、
メモリと、
前記メモリに結合され、かつ、
チャネル信号の繰返しが、別のチャネルのためにスケジュールされたリソースと衝突することになると決定することと、
前記繰返しを送信すべきか、または前記繰返しを送信することを控えるべきかを決定するために、優先規則を適用することと、
前記優先規則が前記繰返しを送信することを示すとき、前記繰返しを送信することと  を行うように構成された少なくとも１つのプロセッサと
を備える装置。
［Ｃ２３］
前記優先規則は、前記チャネル信号の前記繰返しが、前記別のチャネル上の送信よりも高い優先度を有することを示す、Ｃ２２に記載の装置。
［Ｃ２４］
前記別のチャネルのためにスケジュールされた前記リソースは、アップリンク共有チャネルを備える、Ｃ２２に記載の装置。
［Ｃ２５］
前記アップリンク共有チャネルは、アップリンク制御情報を備える、Ｃ２４に記載の装置。
［Ｃ２６］
前記アップリンク制御情報は、肯定応答、否定応答、スケジューリング要求、またはチャネル品質インジケータのうちの少なくとも１つを備える、Ｃ２５に記載の装置。
［Ｃ２７］
前記アップリンク共有チャネルは、データトラフィックを備える、Ｃ２４に記載の装置。
［Ｃ２８］
ワイヤレス通信のためのコンピュータ実行可能コードを記憶したコンピュータ可読媒体であって、
チャネル信号の繰返しが、別のチャネルのためにスケジュールされたリソースと衝突することになると決定することと、
前記繰返しを送信すべきか、または前記繰返しを送信することを控えるべきかを決定するために、優先規則を適用することと、
前記優先規則が前記繰返しを送信することを示すとき、前記繰返しを送信することと  を行うためのコードを備えるコンピュータ可読媒体。
［Ｃ２９］
前記優先規則は、前記チャネル信号の前記繰返しが、前記別のチャネル上の送信よりも高い優先度を有することを示す、Ｃ２８に記載のコンピュータ可読媒体。
［Ｃ３０］
前記別のチャネルのためにスケジュールされた前記リソースは、アップリンク共有チャネルを備える、Ｃ２８に記載のコンピュータ可読媒体。
［Ｃ３１］
前記アップリンク共有チャネルは、アップリンク制御情報を備える、Ｃ３０に記載のコンピュータ可読媒体。
［Ｃ３２］
前記アップリンク制御情報は、肯定応答、否定応答、スケジューリング要求、またはチャネル品質インジケータのうちの少なくとも１つを備える、Ｃ３１に記載のコンピュータ可読媒体。
［Ｃ３３］
前記アップリンク共有チャネルは、データトラフィックを備える、Ｃ３０に記載のコンピュータ可読媒体。